(57)【要約】【課題】立体感および高級感を高めた表示板を提供する。【解決手段】ステンレスなどの金属製の基板２０に目盛，数字，文字などの表示部７を設ける。表示部７の内、太目盛表示部７Ａを凸状とした凸状表示部とし、その表面にシルバーやゴールドなどのメッキを施して金属調とする。また、基板２０の表面にはスピン状の筋目模様２２を設ける。基板２０は筋目模様２２を形成した後に、黒色のメッキを施して表面を黒色の艶消し又は半艶消し状態とする。【選択図】図３
2005241565.tif 000002
【特許請求の範囲】
【請求項１】
表面が暗色系の艶消し又は半艶消し状態である基板と、この基板上に配置された金属調を有する凸状表示部とを備えたことを特徴とする表示板。
【請求項２】
前記凸状表示部が表面に複数の平面部を有することを特徴とする請求項１に記載の表示板。
【請求項３】
前記基板が金属からなり、かつ前記表面に筋目模様を施したことを特徴とする請求項１または請求項２に記載の表示板。
【請求項４】
前記基板の裏面側に配置される表示器を視認可能とする開口部を前記基板に設け、この開口部の周囲に金属調の縁取り部を設けたことを特徴とする請求項１から請求項３のいずれかに記載の表示板。
【請求項５】
前記縁取り部は前記開口部側にかけて前記基板の板厚が徐々に薄くなる傾斜面からなることを特徴とする請求項４に記載の表示板。
【請求項６】
前記縁取り部が前記基板の表面から突き出した凸部を有することを特徴とする請求項４に記載の表示板。
【請求項７】
前記基板の表面側に透明又は半透明な表面層を設けたことを特徴とする請求項１から請求項６のいずれかに記載の表示板。
【発明の詳細な説明】
【技術分野】
【０００１】
本発明は、例えば車両用の表示板に関し、特に立体感および高級感を高めた表示板に関するものである。
【背景技術】
【０００２】
従来、表示板の表示部に立体感を持たせたものとして、例えば下記特許文献１に記載のものが知られている。この文字板（表示板）１４は、光透過性の合成樹脂からなる表示基板に目盛や数字などの表示部１５，１５Ａを一体に凸設したものである。そして、表示基板の表面全体に透明層１６を設け、この透明層１６の表面に遮光層１７あるいは金属層２１と遮光層１７を設けた後、レーザー加工により表示部１５，１５Ａ頂部の遮光層１７あるいは金属層２１と遮光層１７を取り除いて光透過部１８，１８Ａを形成したものである。また、図示しないが、特許文献１以外にもシート材に目盛や数字などの表示部を印刷後、表示部をプレス，真空成形，圧空成形などで凸状に形成するという方法もある。
【特許文献１】実開平２−１００２８５号公報
【発明の開示】
【発明が解決しようとする課題】
【０００３】
しかしながら、前者（上記特許文献１）に記載の表示板においては、レーザー加工が大変であると共に、表示部１５，１５Ａが凸設してあるにもかかわらず、光透過部１８，１８Ａとして遮光層１７とは異なる色調で視認される箇所は表示部１５，１５Ａの頂部であるために立体感に乏しい。また、後者においてはシート材を折り曲げて表示部を形成するために凸部の先端や基部がどうしても丸みを帯びてしまい、高級感に欠けてしまう。さらに、表示部を印刷後凸形成するために印刷箇所の位置ずれが発生しやすかったり、表示部が小さすぎる（あるいは狭い）と凸形状に出来ない場合がある。
【０００４】
本発明はこの様な点に鑑みなされたもので、立体感および高級感を高めた表示板を提供することを目的とする。
【課題を解決するための手段】
【０００５】
本発明は前記目的を達成するため、表面が暗色系の艶消し又は半艶消し状態である基板と、この基板上に配置された金属調を有する凸状表示部とを備えたものである。
【０００６】
また、前記凸状表示部が表面に複数の平面部を有するものである。
【０００７】
また、前記基板が金属からなり、かつ前記表面に筋目模様を施したものである。
【０００８】
また、前記基板の裏面側に配置される表示器を視認可能とする開口部を前記基板に設け、この開口部の周囲に金属調の縁取り部を設けたものである。
【０００９】
また、前記縁取り部は前記開口部側にかけて前記基板の板厚が徐々に薄くなる傾斜面からなるものである。
【００１０】
また、前記縁取り部が前記基板の表面から突き出した凸部を有するものである。
【００１１】
また、前記基板の表面側に透明又は半透明な表面層を設けたものである。
【発明の効果】
【００１２】
立体感および高級感を高めた表示板を得ることができる。
【発明を実施するための最良の形態】
【００１３】
本発明の表示板を適用した車両の計器装置を実施形態として説明する。図１〜図５に第１実施形態を示す。図１は計器装置の正面図であり、図２は図１に於けるＡ−Ａ断面である。図３は表示板の正面図であり、図４は図３に於けるＢ−Ｂ断面であり、図５は図３に於けるＣ−Ｃ断面である。なお、図１に於いて、表示板の表示部は記載を省略してある。
【００１４】
計器装置は、計器としての例えば速度計１を備えており、硬質な回路基板２と、この回路基板２の裏面側に回路基板２と導通状態で装着され、回路基板２を貫通して前方に延びる回動軸３を有する速度計用１の計器本体４と、回動軸３の先端側に固着された指示部５を有する指針６と、指示部５の後方に配置され指示部５の動作に対応する表示部７を設けた表示板８と、表示板８と回路基板２との間に配置され表示板８を支持する遮光性のある白色の合成樹脂からなる支持部材９と、回路基板２の裏面側を覆うカバー１０と、表示板８の前方側に配置され表示板８の可視領域Ｘを定める例えば黒色の見返し部材１１と、表示板８や見返し部材１１などの前方側を被う無色透明な透視板１２を備えている。
【００１５】
また、計器装置には表示器としての例えばフューエル表示器１３，テンプ表示器１４，走行距離表示器１５を備えている。これら各表示器１３〜１５は液晶を用いた液晶表示素子を有しており、表示板８の裏面側に配置してある。フューエル表示器１３およびテンプ表示器１４はバー表示され、走行距離表示器１５はトータル走行距離やトリップ走行距離が数字表示されるものである。そして、表示板８には各表示器１３〜１５の液晶表示素子を視認可能とする開口部１６が設けてある。また、見返し部材１１には夜間あるいは周囲が暗い時に表示板８や指針６を照明（照射）するバルブあるいは発光ダイオードなどの光源１７が配置してある。なお、表示器は前述した各表示器に限定するものではなく、更に、電界発光素子を用いた表示器や指針式の表示器であっても良い。
【００１６】
指針６は、例えば白色の合成樹脂からなる指示部５の他に、指針軸１８と、指示部５の基部周囲（指針軸１８の上方）を覆う遮光部材としての黒色の指針キャップ１９を備えている。この指針６は指針軸１８を計器本体４の回動軸３の先端側に圧入することによって計器本体４に固着されている。そして、車両の速度に応じて作動するようになっている。
【００１７】
表示板８は、ステンレスやアルミニウムなどの金属製の基板２０に表示部７を設けたものである。表示部７としては目盛，数字，文字などがあり、太目盛表示部を７Ａ，細目盛表示部を７Ｂ，数字表示部を７Ｃ，文字表示部を７Ｄとする。また、基板２０には図３に示す様に指針６の指針軸１８が貫通する指針穴２１が設けてあり、この指針穴２１と同心のスピン状の筋目模様２２（微細な凹溝）が設けてある。筋目模様２２はスピン状に限らず、指針穴２１の中心を原点とする放射状であっても良い。基板２０は筋目模様２２を形成した後に、黒色のメッキやアルマイト処理を施して表面を黒色の艶消し又は半艶消し状態としてある。更に、本実施形態に於いては基板２０の表面側に黒色透明な表面層２３が設けてある。
【００１８】
本実施形態に於いては、表示部７の内、太目盛表示部７Ａを凸状とした凸状表示部としてある。この太目盛表示部７Ａ（凸状表示部）は、図３および図５に示す様に表示板８の正面から見た場合（平面視）は長方形であり、断面は略三角形を成している。すなわち、表面に２個の平面部２４を形成することによって断面略三角形とし、その頂辺Ｌが指針穴２１の中心（指針６の中心でもある）に向いている。この太目盛表示部７Ａは合成樹脂製であり、その表面にシルバーやゴールドなどのメッキや蒸着あるいは塗装を施した金属調を有すると共に、光反射性を備えている。また、裏面側には円柱状の足部２５が設けてあり、この足部２５を基板２０に設けた孔２６に挿入した後、足部２５の先端側を熱溶着することによって基板２０上に固定（配置）してある。
【００１９】
細目盛表示部７Ｂ，数字表示部７Ｃ，文字表示部７Ｄは表面層２３を設けた基板２０の表面に例えば白色で印刷したものである。なお、図３に於いては細目盛表示部７Ｂ，数字表示部７Ｃ，文字表示部７Ｄを黒色で示す。また、数字表示部７Ｃや文字表示部７Ｄは、太目盛表示部７Ａおよび細目盛表示部７Ｂの周囲に別部材を配置して、その表面側に設ける様にしても良い。また、表面層２３は無色透明であっても良く、その場合は細目盛表示部７Ｂ，数字表示部７Ｃ，文字表示部７Ｄを設けた後に設ける様にしても良いし、表面層２３は設けなくとも良い。
【００２０】
基板２０に設けられた開口部１６は丸形であり、開口部１６の中心側の板厚が徐々に薄くなる様に削られた傾斜面２７を有している。この傾斜面２７はシルバーやゴールドなどのメッキや塗装を施した金属調を有する。あるいは、ステンレスやアルミニウムなどの金属地であっても良い。金属地とした場合、この傾斜面２７に無色透明な表面層２３を設けておけば防錆効果がある。この様に金属調の傾斜面２７とすることにより、縁取り部が形成されるものである。なお、開口部１６は丸形に限定するものではなく、表示器の形態に合わせて楕円形や角形あるいは指針穴２１を中心とする２本の異なる円弧で囲まれた開口とすれば良い。
【００２１】
この様に、表面が黒色の艶消し又は半艶消し状態である基板２０上に金属調を有する太目盛表示部７Ａを凸状に設けたことにより、太目盛表示部７Ａだけが立体感を持って光り輝き一段と際立って視認される。また、太目盛表示部７Ａが別体であるため、太目盛表示部７Ａの表面だけでなく凸状部全体が金属調となるためにより立体感がでる。この様に太目盛表示部７Ａを凸状としたことにより、太目盛表示部７Ａだけでなく、表示板８全体の立体感も高まる。なお、基板２０の表面色を黒色としたが、黒色に限定するものではなく、太目盛表示部７Ａと明暗差のある濃青，濃緑，濃灰など、すなわち暗色系であれば良い。
【００２２】
また、太目盛表示部７Ａ（凸状表示部）を複数の平面部２４からなる断面略三角形とし、かつ正面から見た場合は長方形（平面視四角形）とすることにより、正面および斜めから見ても丸みを帯びていないためシャープ感が有って高級感が得られる。また、表面に２個（複数）の平面部２４を形成することによって、外部から光が当たった時に異なる方向に光が反射するので独特の光輝感（キラキラ感）を演出でき、また断面略三角形の頂辺Ｌが指針穴２１の中心に向くようにしてあるため、太目盛表示部７Ａの幅が広くても指針６の指示部５が太目盛表示部７Ａを指した場合の読み取りが正確に行える。
【００２３】
また、基板２０を金属製とし、表面にスピン状の筋目模様２２（微細な凹溝）を施したことにより、表示板８に金属感を与えることができ、より高級感が増す。なお、基板２０は樹脂製であっても良く、樹脂製の基板に筋目模様２２を施す場合は、例えば筋目模様付の薄箔層を樹脂基板に転写すれば良い。但し、金属製の基板２０の方がより微細な筋目模様２２となり易い共に、金属的な質感をより与えることができる。
【００２４】
また、基板２０に開口部１６を設け、更に開口部１６の中心側の板厚が徐々に薄くなる様に切削した傾斜面２７を設けて、この傾斜面２７を金属調の縁取り部としたことにより、表示板８に目新しさや高級感を与えることになると共に、開口部１６の背後に配置される表示器が見やすくなる（注目されやすくなる）。また、傾斜面２７とすることにより、表示器が奥まって見えるのを抑えることができる。なお、縁取り部を形成するには傾斜面とせず、開口部１６周囲の平らな面にメッキや印刷を施して金属調としても良い。
【００２５】
また、基板２０の表面側に黒色透明な表面層２３を設けることによって、メッキやアルマイト処理後の基板２０表面の保護が図れると共に、基板２０表面をより黒色にすることができる。更に、メッキやアルマイト処理では得られにくい微妙な色合いや艶状態を表面層２３で容易に調整できる。また、微細な凹溝（筋目模様２２）内に表面層２３が入り込んだとしても、表面層２３の透明度が高いため筋目模様２２が認識可能である。
【００２６】
図６および図７は、本発明の第２実施形態を示す太目盛表示部７ＡＡ（凸状表示部）の正面図と、その断面図である。表面に４個の平面部２４を形成することによって断面が略三角形を２個並べた状態の凸状表示部である。そして、前記第１実施形態と同様に、表面には金属調の処理が施してある。この様に形成したことにより、前記第１実施形態と同様に立体感および高級感を高めることができる。
【００２７】
図８および図９は、本発明の第３実施形態を示す太目盛表示部７ＡＢ（凸状表示部）の正面図と、その断面図である。４個の平面部２４を形成することによってできる略四角錐の凸状表示部である。そして、前記第１実施形態と同様に、表面には金属調の処理が施してある。この様に形成したことにより、前記第１実施形態と同様な効果を得ることができる。また、太目盛表示部７ＡＢが略四角錐で平面視四角形の幅広であっても頂点Ｐを有するため、指針６の指示部５による読み取りが正確に行える。
【００２８】
図１０は本発明の第４実施形態で表示板８の開口部を示す断面図である。断面が略三角形で合成樹脂からなる円形のリング部材２８を基板２０に設けた貫通穴２９に裏面側から挿入したものである。リング部材２８は傾斜面２７Ａと固定部３０を有し、その表面にシルバーやゴールドなどのメッキや蒸着あるいは塗装を施してあり、固定部３０部分を基板２０の裏面に接着してある。本実施形態では、前記第１実施形態と同様に傾斜面２７Ａが金属調の縁取り部となる。また、リング部材２８の内周を開口部１６Ａとする。
【００２９】
この様に構成したことにより、前記第１実施形態と同様な効果を得ることができる。また、傾斜面２７Ａを有する別部材（リング部材２８）を設けることにより、前記第１実施形態で示した様な切削工程が省けてコストダウンに繋がる。
【００３０】
図１１は本発明の第５実施形態で表示板８の開口部を示す断面図である。鍔部３１を有する断面Ｌ形のリング部材２８Ａを基板２０に設けた貫通穴２９に表面側から嵌め込んだものである。リング部材２８Ａは樹脂または金属からなり、その表面にシルバーやゴールドなどの金属調メッキや塗装を施したものである。本実施形態では鍔部３１が金属調の縁取り部であると共に基板２０の表面から突き出した凸部でもある。また、リング部材２８Ａの内周を開口部１６Ａとする。
【００３１】
この様に構成したことにより、前記第１実施形態と同様な効果を得ることができる。さらに、縁取り部が基板２０の表面から突き出した凸部であるため、表示板８により立体感を与えることができる。
【００３２】
なお、第２，第３実施形態における太目盛表示部７ＡＡ，７ＡＢには前記第１実施形態で示した足部２５は省略してある。また、第１，第２実施形態における断面略三角形の頂辺Ｌ，ＬＡおよび第３実施形態で示した頂点Ｐ箇所は必ずしも鋭角にしておく必要はない。取り扱い面を考慮して先端に面取り（平面または円弧状）を施しても良い。
【００３３】
また、本発明における開口部１６，１６Ａとは、前述した様に基板２０（表示板８）の裏面側に配置される表示器を視認可能とする開口部のことであり、前記第１実施形態の如く、基板２０に設けた穴によって表示器が視認可能となる場合は、その穴を開口部１６とし、前記第２，第３実施形態で示した様に基板２０に設けた貫通穴２９にリング部材２８，２８Ａを挿入する場合は、リング部材２８，２８Ａの穴によって表示器が視認可能となるため、リング部材２８，２８Ａの内周を開口部１６Ａとするものである。
【図面の簡単な説明】
【００３４】
【図１】本発明の表示板を適用した第１実施形態を示す計器装置の正面図。
【図２】同計器装置の断面図（図１に於けるＡ−Ａ断面）。
【図３】同表示板の正面図。
【図４】同表示板の部分断面図（図３に於けるＢ−Ｂ断面）。
【図５】同表示板の凸状表示部の断面図（図３に於けるＣ−Ｃ断面）。
【図６】本発明の第２実施形態を示す凸状表示部の正面図。
【図７】同凸状表示部の断面図（図６に於けるＤ−Ｄ断面）。
【図８】本発明の第３実施形態を示す凸状表示部の正面図。
【図９】同凸状表示部の断面図（図８に於けるＥ−Ｅ断面）。
【図１０】本発明の第４実施形態を示す開口部の断面図。
【図１１】本発明の第５実施形態を示す開口部の断面図。
【符号の説明】
【００３５】
７  表示部
７Ａ，７ＡＡ，７ＡＢ  太目盛表示部（凸状表示部）
７Ｂ  細目盛表示部
７Ｃ  数字表示部
７Ｄ  文字表示部
８  表示板
１６，１６Ａ  開口部
２０  基板
２２  筋目模様
２３  表面層
２４  平面部
２７，２７Ａ  傾斜面（縁取り部）
２８，２８Ａ  リング部材
３１  鍔部（縁取り部，凸部）
【図１】
2005241565.tif 000003
【図２】
2005241565.tif 000004
【図３】
2005241565.tif 000005
【図４】
2005241565.tif 000006
【図５】
2005241565.tif 000007
【図６】
2005241565.tif 000008
【図７】
2005241565.tif 000009
【図８】
2005241565.tif 000010
【図９】
2005241565.tif 000011
【図１０】
2005241565.tif 000012
【図１１】
2005241565.tif 000013